(57)【要約】【課題】  光源ランプから放射される光がカラーホイールによって各色光に時分割されるプロジェクタ装置において、当該カラーホイールからの戻り光の量が低減され、光源ランプの電極における過度の昇温が抑制されて長寿命化が図られるカラーホイールおよびこれを具備するプロジェクタ装置の提供。【解決手段】  カラーホイールは、透光性基板が複数に分割されて形成される各セグメント領域の光出射側の表面に各々カラーフィルタ層が形成されてなり、透光性基板は、特定のカラーフィルタ層が形成されたセグメント領域において、当該カラーフィルタ層を透過する特定波長域の光を透過し、かつ、当該特定波長域以外の波長域の光を吸収する特性を有するものとされていることを特徴とする。【選択図】  図２
2010079187.tif 000002
【特許請求の範囲】
【請求項１】
可視光領域の光が入射されるカラーホイールにおいて、
当該カラーホイールは、透光性基板が複数に分割されて形成される各セグメント領域の光出射側の表面に各々カラーフィルタ層が形成されてなり、
前記透光性基板は、特定のカラーフィルタ層が形成されたセグメント領域において、当該カラーフィルタ層を透過する特定波長域の光を透過し、かつ、当該特定波長域以外の波長域の光を吸収する特性を有するものとされていることを特徴とするカラーホイール。
【請求項２】
前記特定のカラーフィルタ層が６００〜７４０ｎｍの波長域の光を透過するものであって、
前記透光性基板における当該特定のカラーフィルタ層が形成されたセグメント領域において吸収される光が、３００〜５００ｎｍの波長域の光であることを特徴とする請求項１に記載のカラーホイール。
【請求項３】
光源ランプと、
当該光源ランプから放射された光のうち、可視光領域の光を、特定波長域の光に変換する請求項１または請求項２に記載のカラーホイールと、
当該カラーホイールにより変換された特定波長域の光を変調する表示デバイスと
を具備することを特徴とするプロジェクタ装置。
【発明の詳細な説明】
【技術分野】
【０００１】
本発明は、プロジェクタ装置に利用されるカラーホイールおよびプロジェクタ装置に関する。特に、発光管内に０．１６ｍｇ／ｍｍ3 以上の水銀が封入されて点灯時の水銀蒸気圧が超高圧となる超高圧水銀ランプが凹面反射鏡内に配置された光源装置を光源とした、液晶ディスプレイ装置やデジタルミラーデバイス（ＤＭＤ；テキサスインスツルメンツ社の登録商標）を使ったデジタルライトプロセッサ（ＤＬＰ；テキサスインスツルメンツ社の登録商標）などのプロジェクタ装置に使用されるカラーホイールおよび当該カラーホイールを具備するプロジェクタ装置に関する。
【背景技術】
【０００２】
最近においては、液晶ディスプレイ（ＬＣＤ）装置やＤＭＤを使用したＤＬＰなどのプロジェクタ装置の普及が進み、ビジネスユースに加えてホームシアターユースなどに利用分野が広がっている。このような利用形態の変化に伴い、従来のような単なる明るさ重視から、高い色再現性を求める、いわゆる色味を重視したものが求められている。
このような流れに対応するために、プロジェクタ装置のカラーホイールについて種々の改良が行われている。
【０００３】
カラーホイールは、例えば特許文献１，２に開示されるように、プロジェクタ装置において投影される画像の発色手段として従来から広く活用されている技術であって、特に、単板式表示パネルのＤＬＰや、ＬＣＤタイプのプロジェクタ装置において有用な技術である。
このカラーホイールについて、図１を参照して説明する。このカラーホイール１０は、円盤状の透光性基板における、円周方向に複数、例えば４つの略扇状のセグメント領域に分割された各々に、所望の色の光を透過する波長選択性のカラーフィルタ層１５ａ〜１５ｄが形成されてなるものである。各カラーフィルタ層１５ａ〜１５ｄは、それぞれ、白色光（Ｗ光）を透過するもの、および、光の３原色である赤色光（Ｒ光）、緑色光（Ｇ光）、青色（Ｂ光）を透過するものとされている。カラーホイールは、必要に応じて、Ｗ光，Ｒ光，Ｇ光およびＢ光に加えて例えば補色のシアン色の光（Ｃ光）、マゼンダ色の光（Ｍ光）、黄色光（Ｙ光）などについてのカラーフィルタ層を有する構成とされていてもよい。カラーホイール１０における各セグメント領域の占有角度範囲は、各々の色の光について求められる強度や明るさに従って設定される。
このようなカラーホイール１０を高速で回転させ、固定された照射スポット領域Ｓに光を照射することによって、光を時分割的に分光することができる。
【０００４】
このようなカラーホイール１０を発色手段として使用したプロジェクタ装置について、図４を参照して説明する。
このプロジェクタ装置３０は、光源装置３５、およびこの光源装置３５から照射された可視光Ｌ１をＷ光，Ｒ光，Ｇ光およびＢ光のいずれかに時分割させて着色光Ｌ２に分光するカラーホイール１０を有するものである。このプロジェクタ装置３０においては、カラーホイール１０を透過した着色光Ｌ２はロッドレンズ３１から断面の照度が均一な等輝度光Ｌ３として出射される。そして、インテグレータレンズ３２を介してＤＭＤなどの表示デバイス３３において変調されて形成された映像光Ｌ５が投射レンズ３４によってスクリーン（図示せず）上に拡大投射される。
【０００５】
このようなプロジェクタ装置において、例えば特許文献３には、色バランスの調整のために、光源ランプの照射スポット領域に巡ってきたカラーフィルタ層の色種に応じてランプ電力の制御をすることが開示されている。
このようなランプ電力の制御を行うことによって、プロジェクタ装置を例えばホームシアターなどに好適な色再現性の高いものとすることができる。具体的には、通常の時分割による投射画像は、一般に観察者に赤味が少なく感知されるために、Ｒ光に係るランプ電力を大きくする制御を行うことが有効である。
【０００６】
【特許文献１】特開２００５−２６６３２４号公報
【特許文献２】特開２００６−０７２０１５号公報
【特許文献３】特開２００７−１２１９７１号公報
【発明の開示】
【発明が解決しようとする課題】
【０００７】
しかしながら、このようなカラーホイールを用いたプロジェクタ装置においては、以下のような問題が生じることが判明した。
すなわち、カラーホイールにおいて各カラーフィルタ層を透過する特定波長域の光以外の波長域の光は、反射光となって光源ランプに戻される。この戻り光が光源ランプの電極に照射されることにより、当該電極の温度が想定以上に上昇してしまい、その結果、光源ランプの照度低下や短寿命などの不具合が生じる。
上記の問題は、特にＢ光が戻り光に多く含まれている場合、具体的には、Ｒ光に係るランプ電力を大きくする制御を行った場合に、顕著に表れる。
【０００８】
本発明は、以上のような事情に基づいてなされたものであって、その目的は、当該カラーホイールからの戻り光の量が低減され、その結果、光源ランプの電極における過度の昇温が抑制されて長寿命化が図られるカラーホイールおよびこれを具備するプロジェクタ装置を提供することにある。
【課題を解決するための手段】
【０００９】
本発明のカラーホイールは、可視光領域の光が入射されるカラーホイールにおいて、
当該カラーホイールは、透光性基板が複数に分割されて形成される各セグメント領域の光出射側の表面に各々カラーフィルタ層が形成されてなり、
前記透光性基板は、特定のカラーフィルタ層が形成されたセグメント領域において、当該カラーフィルタ層を透過する特定波長域の光を透過し、かつ、当該特定波長域以外の波長域の光を吸収する特性を有するものとされていることを特徴とする。
【００１０】
また、本発明のカラーホイールは、前記特定のカラーフィルタ層が６００〜７４０ｎｍの波長域の光を透過するものであって、
前記透光性基板における当該特定のカラーフィルタ層が形成されたセグメント領域において吸収される光が、３００〜５００ｎｍの波長域の光である構成とすることができる。
【００１１】
本発明のプロジェクタ装置は、光源ランプと、
当該光源ランプから放射された光のうち、可視光領域の光を、特定波長域の光に変換する上記のカラーホイールと、
当該カラーホイールにより変換された特定波長域の光を変調する表示デバイスと
を具備することを特徴とする。
【発明の効果】
【００１２】
本発明のカラーホイールによれば、特定のカラーフィルタ層が形成された透光性基板のセグメント領域において、当該特定のカラーフィルタ層を透過する特定波長域以外の波長域の光が吸収されることにより、戻り光の量を低減させることができる。その結果、光源ランプの電極における過度の昇温が抑制され、光源ランプの照度低下が抑止されると共に長寿命化を図ることができる。
【００１３】
また、６００〜７４０ｎｍの波長域のＲ光を透過し、３００〜５００ｎｍの波長域のＢ光を吸収するセグメントを有する構成のカラーホイールによれば、Ｒ光に係るランプ電力を大きくする制御を行って高い色再現性を実現する場合にも、上記の効果が得られる。
【００１４】
本発明のプロジェクタ装置によれば、カラーホイールからの戻り光に由来して生じる光源ランプの電極の早期損耗を防止することができ、長期間にわたって光源ランプの照度を高く維持することができるので、投射画像において高い色再現性が得られると共に、光源ランプの長寿命化を図ることができるプロジェクタ装置を提供することができる。
【発明を実施するための最良の形態】
【００１５】
以下、本発明について具体的に説明する。
【００１６】
〔カラーホイール〕
図１は、本発明のカラーホイールの構成の一例を模式的に示す説明用正面図であり、図２は、図１のカラーホイールにおけるＸ−Ｘ線部分断面図である。
本発明のカラーホイール１０は、円盤状の透光性基板１２が円周方向に複数、例えば４つに分割された各セグメント領域の光出射側の表面に、それぞれ互いに異なる波長域の光を透過するカラーフィルタ層が形成されたセグメント１７ａ〜１７ｄを有するものである。カラーフィルタ層は、例えば誘電体多層膜により形成されたものとすることができる。
この例のカラーホイール１０においては、透光性基板１２の４つのセグメント領域に対して、それぞれ、白色光（Ｗ光）、並びに光の３原色である赤色光（Ｒ光）、緑色光（Ｇ光）および青色（Ｂ光）を透過するカラーフィルタ層１５ａ〜１５ｄが形成されている。
このようなカラーホイール１０は、高速で回転させ、固定されている照射スポット領域Ｓに光を照射することによって、光を時分割的に分光することができるものである。
【００１７】
本発明のカラーホイールは、それぞれＷ光および三原色の光を透過する４つのセグメントを有する構成には限定されず、例えば黄色光（Ｙ光）、マゼンダ色光（Ｍ光）、シアン色光（Ｃ光）などを透過するセグメントをさらに有する構成とされていてもよい。
【００１８】
そして、本発明のカラーホイール１０においては、例えばＲ光に係るセグメント１７ｂのセグメント領域１２ｂが、Ｒ光の波長域以外の波長域の光を吸収する特性を有するものとされている。このセグメント領域１２ｂにおいて吸収される波長域の光（以下、「Ｒセグメント吸収光」ともいう。）は、少なくともＲ光の波長域以外の波長域の光の一部であればよく、全部であってもよい。
具体的には、例えば、Ｒ光に係るセグメント１７ｂのカラーフィルタ層１５ｂを６００〜７４０ｎｍの波長域の光を透過するものとし、対応するセグメント領域１２ｂにおけるＲセグメント吸収光を、例えば３００〜５００ｎｍの波長域の光とすることが好ましい。
Ｒセグメント吸収光を上記波長域の光とすることにより、例えば図３に示すスペクトルの光を発する光源ランプを用いた場合に、Ｂ光を構成する波長域の光の２／３以上が上記波長域内に含まれているために、Ｂ光が戻り光となることが確実に抑制される。
【００１９】
Ｒ光に係るセグメント領域１２ｂにおけるＲセグメント吸収光の吸収率は、例えば７５〜９０％とされる。
【００２０】
このようなＲ光に係るセグメント１７ｂのセグメント領域１２ｂを形成する材料としては、赤色やオレンジ色などに着色されたガラス（以下、「色ガラス」ともいう。）などを用いることができる。
色ガラスは、ガラスの成分や火加減、溶融雰囲気、冷却環境などによって異なるが、例えば赤色のものはガラス中に添加物として金、銅、セレンなどを含有させることにより、また、オレンジ色のものは添加物として銀、ニッケル、炭素などを含有させることにより、製造することができる。
【００２１】
Ｒ光に係るセグメント１７ｂ以外のセグメント１７ａ，１７ｃ，１７ｄに係る各セグメント領域は、光を吸収せずに透過させるものとされている。このようなセグメント１７ａ，１７ｃ，１７ｄに係る各セグメント領域を形成する材料としては、例えば白板ガラスが挙げられる。白板ガラスは、ガラスの成分や火加減、溶融雰囲気、冷却環境などによって異なるが、例えばガラス中に添加物としてカルシウム、錫、フッ素などを含有させることにより、得ることができる。
【００２２】
以上のカラーホイール１０のセグメント１７ｂにおいては、可視光領域の光が照射されると、まず、セグメント領域１２ｂ内部において、通常の光の進行方向に沿ってＲセグメント吸収光は吸収されながら進み、カラーフィルタ層１５ｂによって反射される。反射された光は、セグメント領域１２ｂ内部を前記進行方向と逆方向に沿ってさらに吸収されながら戻る。一方、Ｒセグメント吸収光以外の光は進行方向に沿って吸収されずに進み、Ｒセグメント吸収光以外の光のうち、Ｒ光はカラーフィルタ層１５ｂを透過され、Ｒ光以外の光はカラーフィルタ層１５ｂによって反射され、前記進行方向と逆方向に沿って吸収されずに戻る。
【００２３】
このように、カラーホイール１０においてカラーフィルタ層１５ｂがセグメント領域１２ｂの光出射側の表面に形成されていることによって、光を吸収するための距離が大きなものとなり、従って、効率的に光源ランプへの戻り光量を低減させることができる。
【００２４】
このカラーホイール１０における扇形状のセグメント１７ａ〜１７ｄが円盤状の透光性基板１２においてそれぞれ占有する角度範囲は、特に限定されず、各々の色の光について求められる強度や明るさに従って設定することができる。
【００２５】
〔プロジェクタ装置〕
本発明のプロジェクタ装置３０は、図４に示されるように、白色光を発する放電灯よりなる光源ランプ３５ａ、上記のカラーホイール１０および当該カラーホイール１０により変換された特定波長域の光を変調する表示デバイス３３を有し、カラーホイール１０に入射される光が、赤外光領域の光（ＩＲ光）および紫外光領域の光（ＵＶ光）が除去された可視光Ｌ１であるものである。
【００２６】
具体的には、可視光Ｌ１を出射する光源装置３５、および、可視光Ｌ１を時分割で着色光Ｌ２に分光するカラーホイール１０を有する。さらに、着色光Ｌ２を等輝度光Ｌ３とするロッドレンズ３１、等輝度光Ｌ３を屈折させて集光光Ｌ４とするインテグレータレンズ３２、集光光Ｌ４を変調して映像光Ｌ５とする表示デバイス３３および映像光Ｌ５をスクリーンに投射する投射レンズ３４を有している。
【００２７】
カラーホイール１０は、例えばその中央が軸１９によって軸支され、駆動手段１８により軸１９を回転中心として例えば時計方向に回転される構成とされる。
駆動手段１８は、例えば６０〜１２０回転／秒でカラーホイール１０を回転駆動するものとすることができる。駆動手段１８としては、例えばモータを用いることができる。
カラーホイール１０は透光性基板１２が光源ランプ３５ａ側に向いて配置されると共に当該透光性基板１２上に設けられたカラーフィルタ層１５ａ〜１５ｄがロッドレンズ３１側に配置された状態とされる。
【００２８】
光源装置３５は、白色光を発する光源ランプ３５ａと、光軸を中心とした回転楕円面形状の光反射面を有し、光源ランプ３５ａからの白色光を反射する凹面反射鏡３５ｂと、ＩＲ光およびＵＶ光を除去する放射窓３５ｃとから構成されるものである。
この光源ランプ３５ａとしては、白色光を発するものであれば特に限定されず、例えば超高圧水銀ランプを用いることができる。超高圧水銀ランプは、発光管部内に例えば一対のタングステン製の電極が対向配置され、水銀およびハロゲンが封入されており、希ガスが必要に応じて適宜に封入されたものである。光源ランプ３５ａとしては、特に、発光管内に０．１６ｍｇ／ｍｍ3 以上の水銀が封入されて点灯時の水銀蒸気圧が超高圧となる超高圧水銀ランプを用いることが好ましい。
また、光源ランプ３５ａとしては、他にも、ハロゲンランプ、キセノンアークランプおよびメタルハライドランプなどを用いることができる。
【００２９】
放射窓３５ｃとしては、ＩＲ光およびＵＶ光を除去することができればその具体的な構成は限定されず、例えばＩＲ光を吸収もしくは反射するガラスおよびＵＶ光を吸収もしくは反射するガラスを接着剤などにより接合したものを用いることができる。
放射窓３５ｃによりＩＲ光およびＵＶ光が除去されることにより、ロッドレンズ３１、インテグレータレンズ３２、表示デバイス３３および投射レンズ３４などが劣化することを抑制することができる。
【００３０】
このような光源装置３５のランプ電力の大きさは、照射スポット領域Ｓに配置されるカラーホイール１０のセグメント１７ａ〜１７ｄの透過する色光の種類に応じて、それぞれ、適宜に決定することができる。具体的には、例えば、Ｒ光に係るセグメント１７ｂが照射スポット領域Ｓに配置されたときのランプ電力を、他のセグメント１７ａ，１７ｃ，１７ｄが照射スポット領域Ｓに配置されたときのランプ電力の例えば２倍とすることが好ましい。
このような制御を行うことにより、スクリーン上に得られる映像が高い色再現性を有するものとなる。
【００３１】
ロッドレンズ３１は、入射面および出射面を開口部とし、入射面と出射面とを繋ぐ側壁の内側を反射面にした四角筒状構造の光学素子であって、出射面上における輝度分布を略均一化させた等輝度光Ｌ３とするものである。なお、光源装置３５から出射される可視光Ｌ１の焦点Ｐは、ロッドレンズ３１の入射面上に存在するものとされている。
【００３２】
インテグレータレンズ３２は、ロッドレンズ３１から出射された等輝度光Ｌ３を集光し、表示デバイス３３の画角に応じた照射面積にまで拡大させた集光光Ｌ４とするものである。
【００３３】
表示デバイス３３は、外部から入力された映像信号に応じてＲ光・Ｇ光・Ｂ光の集光光Ｌ４を変調またはスイッチングして映像光Ｌ５とするための光変調素子である。表示デバイス３３としては、例えば、画像の各画素に対応し、入力映像信号に応じて高速でＯＮ／ＯＦＦ制御されて選択的に傾けることのできるマイクロミラーが配置されたＤＭＤや、透過型または反射型の液晶表示パネルなどを用いることができる。
【００３４】
投射レンズ３４は、表示デバイス３３から出射された映像光Ｌ５を、スクリーンに拡大投射するものである。投射レンズ３４としては、特に限定されず適宜のものを使用することができる。
【００３５】
このプロジェクタ装置３０においては、まず、光源ランプ３５ａから放射された白色光が、凹面反射鏡３５ｂによって反射され、これの前面に配置された放射窓３５ｃによって濾光されてＩＲ光、ＵＶ光が除去される。そして、可視光Ｌ１のみがカラーホイール１０の照射スポット領域Ｓに入射される。一方、カラーホイール１０は、セグメント１７ａ〜１７ｄが周期的に光路内に配置されるように回転駆動される。これにより、可視光Ｌ１が各セグメント１７ａ〜１７ｄのカラーフィルタ層１５ａ〜１５ｄのいずれかによって波長選択され、Ｗ，Ｒ，ＧおよびＢのいずれかの着色光Ｌ２として透過される。
カラーホイール１０を透過した着色光Ｌ２はロッドレンズ３１に集光され、その側壁による反射を繰り返すことにより、断面の輝度が均一な等輝度光Ｌ３とされる。そして、インテグレータレンズ３２を介して表示デバイス３３に集光光Ｌ４として照射される。
表示デバイス３３においては、入射された集光光Ｌ４がＲ光，Ｇ光，Ｂ光およびＷ光のいずれであるかに応じて変調されることによって映像光Ｌ５が形成され、この映像光Ｌ５が投射レンズ３４を介してスクリーン（図示せず）上に拡大投射される。
スクリーンにおいては、例えば１／１２０秒間〜１／６０秒間の極めて短い一定時間ごとにＲ，Ｇ，Ｂ，Ｗの各色の映像が順次表示され、画像の色合成はいわゆる残像効果により観察者の視覚系において実行され、その結果、フルカラーの映像が認識される。
【００３６】
以上のようなカラーホイール１０によれば、カラーフィルタ層１５ｂが形成された透光性基板１２のセグメント領域１２ｂにおいて、当該カラーフィルタ層１５ｂを透過する特定波長域以外の波長域の光が吸収されることにより、戻り光の量を低減させることができる。その結果、光源ランプ３５ａの電極における過度の昇温が抑制され、光源ランプ３５ａの照度低下が抑止されると共に長寿命化を図ることができる。
以上のカラーホイール１０においては、Ｒ光に係るランプ電力を大きくする制御を行って高い色再現性を実現する場合にも、上記の効果が得られる。
【００３７】
また、以上のプロジェクタ装置３０によれば、光源ランプ３５ａから放射される光が、ＵＶ光およびＩＲ光が除去された光であるので、当該プロジェクタ装置３０を構成する光学系に対するこれらのＵＶ光およびＩＲ光による負荷が軽減される。従って、光学系の劣化が抑制され、かつ、上記のカラーホイール１０を具備するために光源ランプ３５ａが長寿命を有し、結局、プロジェクタ装置３０を長寿命のものとすることができる。
【００３８】
以上、本発明のプロジェクタ装置の実施形態について説明したが、上記実施形態に限定されるものではなく、種々の変更を加えることができる。
【００３９】
例えば、カラーホイールは、図５に示されるように、Ｒ光に係るセグメント領域１２ｂの光入射側の表面に反射防止膜２５が形成された構成のものとすることができる。この反射防止膜２５が設けられることにより、このカラーホイールのセグメント領域１２ｂに入射される可視光領域の光の界面反射の割合が低減され、その結果、光源ランプ３５ａに反射される戻り光の量がより一層低減される。
このような反射防止膜は、他の色光に係るセグメント領域の光入射側の表面にも形成されていてもよい。
【００４０】
また例えば、カラーホイールは、Ｒ光に係るセグメントのみがＲ光以外の光を吸収する構成とすることに限定されず、他のセグメントもカラーフィルタ層に透過されない光を吸収する特性を有するものとされた構成としてもよい。
具体的には、Ｇ光に係るセグメントについてＧ光以外の光を吸収する構成とする場合には、カラーフィルタ層を４８０〜５５０ｎｍの光を透過するものとし、対応するセグメント領域を３００〜４８０ｎｍの波長域および５５０〜８００ｎｍの波長域の光を吸収するよう構成することが好ましい。
このようなＧ光に係るセグメント１７ｃのセグメント領域を形成する材料としては、黄色の色ガラスや、緑色の色ガラスなどを用いることができる。
黄色の色ガラスは、ガラスの成分や火加減、溶融雰囲気、冷却環境などによって異なるが、例えばガラス中に添加物として硫黄、カドミウム、セリウムなどを含有させることにより得ることができる。同様に、緑色の色ガラスは、添加物としてクロム、ニッケル、鉄などを含有させることにより得ることができる。
【００４１】
また、Ｂ光に係るセグメントについてＢ光以外の光を吸収する構成とする場合には、カラーフィルタ層を３００〜４８０ｎｍの光を透過するものとし、対応するセグメント領域を４８０〜８００ｎｍの光を吸収するよう構成することが好ましい。
このようなＢ光に係るセグメント１７ｄのセグメント領域を形成する材料としては、青色の色ガラスや、紫色の色ガラスなどを用いることができる。
青色の色ガラスは、ガラスの成分や火加減、溶融雰囲気、冷却環境などによって異なるが、例えばガラス中に添加物としてコバルト、銅などを含有させることにより得ることができる。同様に、紫色の色ガラスは、添加物としてマンガンなどを含有させることにより得ることができる。
【実施例】
【００４２】
以下、本発明の具体的な実施例について説明するが、本発明はこれらに限定されるものではない。
【００４３】
＜実施例１＞
基材として、３００〜４００ｎｍの波長域の光を吸収して、４４０ｎｍより長い波長域の光を透過する、厚み０．５ｍｍの黄色の色ガラスの一面上に、ＴｉＯ2 およびＳｉＯ2 を交互に積層した誘電体多層膜よりなる６００〜７４０ｎｍの波長の光を透過するカラーフィルタ層を形成することにより、Ｒ光セグメント〔１〕を作製した。用いた色ガラスは、３００〜４４０ｎｍの波長の光を８０％の割合で吸収するものである。
このＲ光セグメント〔１〕と、光源ランプとして３００Ｗの超高圧水銀ランプとを、図２に従った配置関係に配置し、点灯から３０分後の光源ランプの温度を放射温度計により測定する実験を行った。結果を表１に示す。
なお、表１において、「電極の降下温度」とは、後述する比較例１についての結果を０としたときの降下幅である。
【００４４】
＜実施例２〜４＞
色ガラスの厚みを表１に従って変更したことの他は実施例１と同様にしてＲ光セグメント〔２〕〜〔４〕を作製し、実施例１と同様にして光源ランプの温度降下実験を行った。結果を表１に示す。
【００４５】
＜比較例１＞
色ガラスの代わりに、可視光を吸収しない厚み０．７ｍｍの石英ガラスを用いたことの他は実施例１と同様にして比較用のＲ光セグメント〔１〕を作製し、実施例１と同様にして光源ランプの温度降下実験を行った。結果を表１に示す。
【００４６】
【表１】
2010079187.tif 000003
【００４７】
以上の実施例および比較例より、３００〜４４０ｎｍの青色の光を吸収する色ガラスの存在によって、光源ランプの昇温が抑制されることが確認された。
また、色ガラスの厚みが１ｍｍ以上である場合は電極の降下温度は１５０度と優れた値を示しているが、厚み方向の熱的歪みが生じて当該色ガラス自身が破損するおそれがあるため、実質的には厚み０．７ｍｍの色ガラスを使用することが好ましい。
【図面の簡単な説明】
【００４８】
【図１】本発明のカラーホイールの構成の一例を模式的に示す説明用正面図である。
【図２】図１のカラーホイールにおけるＸ−Ｘ線部分断面図である。
【図３】本発明のプロジェクタ装置の光源として用いることのできる光源ランプのスペクトルである。
【図４】本発明のプロジェクタ装置の構成の概略を示す模式図である。
【図５】本発明のカラーホイールの構成の別の一例を模式的に示す説明用断面図である。
【符号の説明】
【００４９】
１０  カラーホイール
１２  透光性基板
１２ｂ  セグメント領域
１５ａ〜１５ｄ  カラーフィルタ層
１７ａ〜１７ｄ  セグメント
１８  駆動手段
１９  軸
２５  反射防止膜
３０  プロジェクタ装置
３１  ロッドレンズ
３２  インテグレータレンズ
３３  表示デバイス
３４  投射レンズ
３５  光源装置
３５ａ  光源
３５ｂ  凹面反射鏡
３５ｃ  放射窓
Ｌ１  可視光
Ｌ２  着色光
Ｌ３  等輝度光
Ｌ４  集光光
Ｌ５  映像光
Ｓ  照射スポット領域
Ｐ  焦点
【図１】
2010079187.tif 000004
【図２】
2010079187.tif 000005
【図３】
2010079187.tif 000006
【図４】
2010079187.tif 000007
【図５】
2010079187.tif 000008